(57)【要約】  【課題】  電池を電池ケースから取外す際の例えば電池外装のラミネートの変形又は破損を防止することが可能な電池パック及び電池パックの分解方法を提供する。  【解決手段】  電池ケース２０内面への電池１０の接着に使用する接着シート１６は、剥離が可能なように接着された第１基体３０及び第２基体３２を備えており、第１基体３０及び第２基体３２間よりも強い接着力で、第１基体３０及び第２基体３２の一方は電池１０に接着され、他方は電池ケース２０に接着されている。電池ケース２０から電池１０を取外す場合、第１基体３０及び第２基体３２を引き離す方向に力が加わるため、第１基体３０及び第２基体３２間で剥離が起こり、接着シート１６は第１基体３０を含む部分と第２基体３２を含む部分とに分かれる。【選択図】      図１
2005056625.tif 000002
【特許請求の範囲】
【請求項１】
電池と、電池ケースとを備え、接着シートで電池を電池ケース内面に接着した電池パックにおいて、
前記接着シートは、電池及び電池ケースの一方に接着される第１接着面と他方に接着される第２接着面との間に、剥離層を有することを特徴とする電池パック。
【請求項２】
電池と、電池ケースとを備え、接着シートで電池を電池ケース内面に接着した電池パックにおいて、
前記接着シートは剥離が可能なように接着された第１基体及び第２基体を備え、第１基体及び第２基体間よりも強い接着力で、第１基体及び第２基体の一方は電池に接着され、他方は電池ケースに接着されていることを特徴とする電池パック。
【請求項３】
電池と、電池ケースとを備え、接着シートで電池を電池ケース内面に接着した電池パックにおいて、
前記接着シートは両面接着シート及び該両面接着シートの一方の面に剥離が可能なように接着された剥離シートを備え、両面接着シート及び剥離シート間よりも強い接着力で、両面接着シートの他方の面は電池に接着され、剥離シートは電池ケースに接着されていることを特徴とする電池パック。
【請求項４】
請求項２記載の電池パックの分解方法であって、
接着シートの第１基体及び第２基体間を剥離して、電池及び電池ケースを分離することを特徴とする電池パックの分解方法。
【発明の詳細な説明】
【技術分野】
【０００１】
本発明は、接着シートで電池を電池ケース内面に接着した電池パック及び電池パックの分解方法に関する。
【背景技術】
【０００２】
電池を電池ケースに収めた電池パックにおいては、例えば図６（ａ）に示すように、両面テープ２などで電池１を電池ケース（蓋体８）内面に接着している（例えば、特許文献１参照）。電池１を電池ケース（蓋体８）内に接着することにより、耐衝撃性が向上する。両面テープ２としては、例えば図６（ｂ）に示すように、ＰＥＴ（polyethylene terephthalate）基板３の上面及び下面に接着剤４を付加したものを用いたり、図６（ｃ）に示すように、不織布５に接着剤を加えたものを用いることが可能である。
【０００３】
電池パックの製造は、蓋体８内面に両面テープ２で電池１を接着した後、蓋体８及び箱体９を組合わせて例えば超音波溶着などで一体化している。電池ケース（蓋体８、箱体９）の外観に色むら又は傷などの不具合が見つかった場合、金属外装の電池においては、電池ケースを壊して電池１を蓋体８から取外し、取外した電池１を新しい電池ケース（蓋体）に接着して再利用している。
【特許文献１】特開平１１−２５９３９号公報
【発明の開示】
【発明が解決しようとする課題】
【０００４】
携帯電話などの携帯機器に用いる電池は、小型化及び軽量化が求められているため、ラミネート外装の電池が好適である。ラミネート外装の電池は、金属外装の電池と同様に、両面テープ２で電池ケース（蓋体８）内面に接着される。しかし、ラミネート外装は金属外装に比べて強度が低く、電池ケースを壊して電池１を蓋体８から取外す場合、ラミネートコーナ部にクラックが発生するなど、ラミネートが変形又は破損することが多く、ラミネート外装電池の再利用は困難である。ラミネート外装の場合、電池ケースの外観に不具合が見つかった際は、電池に問題が無い場合であっても電池ごと破棄処分になる。
【０００５】
本発明は斯かる事情に鑑みてなされたものであり、電池を電池ケースから取外して電池パックを分解する際の例えば電池外装のラミネートの変形又は破損を防止することが可能な電池パック及び電池パックの分解方法を提供することを目的とする。
【０００６】
また、本発明は、電池ケースから電池を容易に取外すことができる電池パック及び電池パックの分解方法を提供することを他の目的とする。
【０００７】
また、本発明は、電池ケースから取外した電池を効率よく新しい電池ケースに取付けることができる電池パックを提供することを他の目的とする。
【課題を解決するための手段】
【０００８】
第１発明に係る電池パックは、電池と、電池ケースとを備え、接着シートで電池を電池ケース内面に接着した電池パックにおいて、前記接着シートは、電池及び電池ケースの一方に接着される第１接着面と他方に接着される第２接着面との間に、剥離層を有することを特徴とする。
【０００９】
第２発明に係る電池パックは、電池と、電池ケースとを備え、接着シートで電池を電池ケース内面に接着した電池パックにおいて、前記接着シートは剥離が可能なように接着された第１基体及び第２基体を備え、第１基体及び第２基体間よりも強い接着力で、第１基体及び第２基体の一方は電池に接着され、他方は電池ケースに接着されていることを特徴とする。
【００１０】
第３発明に係る電池パックは、電池と、電池ケースとを備え、接着シートで電池を電池ケース内面に接着した電池パックにおいて、前記接着シートは両面接着シート及び該両面接着シートの一方の面に剥離が可能なように接着された剥離シートを備え、両面接着シート及び剥離シート間よりも強い接着力で、両面接着シートの他方の面は電池に接着され、剥離シートは電池ケースに接着されていることを特徴とする。
【００１１】
第４発明に係る分解方法は、第２発明の電池パックの分解方法であって、接着シートの第１基体及び第２基体間を剥離して、電池及び電池ケースを分離することを特徴とする。
【００１２】
第１発明においては、電池ケース内面への電池の接着に使用する接着シートは、電池ケースに接着される第１接着面と、電池に接着される第２接着面との間に、剥離可能な剥離層を有する。電池ケースから電池を取外す場合、第１接着面及び第２接着面を引き離す方向に力が加わるため、剥離層で剥離が起こり、接着シートは第１接着面を含む部分と第２接着面を含む部分とに分かれる。第１接着面及び電池ケース間と第２接着面及び電池間とで剥離は起こらず、第１接着面及び第２接着面間の剥離層で剥離が起こる。
【００１３】
第２又は第４発明においては、電池ケース内面への電池の接着に使用する接着シートは、剥離が可能なように接着された第１基体及び第２基体を備えており、第１基体及び第２基体間よりも強い接着力で、第１基体は電池ケースに接着され、第２基体は電池に接着される。電池ケースから電池を取外す場合、第１基体及び第２基体を引き離す方向に力が加わるため、第１基体及び第２基体間で剥離が起こり、接着シートは第１基体を含む部分と第２基体を含む部分とに分かれる。第１基体及び電池ケース間と第２基体及び電池間とで剥離は起こらず、第１基体及び第２基体間で剥離が起こる。
【００１４】
第３発明においては、例えば電池ケース内面への電池の接着に使用する接着シートは、両面接着シート及び該両面接着シートの一方の面に剥離が可能なように接着された剥離シートを備えており、両面接着シート及び剥離シート間よりも強い接着力で、両面接着シートの他方の面は電池に接着され、剥離シートは電池ケースに接着される。電池ケースから電池を取外す場合、両面接着シート及び剥離シートを引き離す方向に力が加わるため、両面接着シート及び剥離シート間で剥離が起こり、接着シートは両面接着シートを含む部分と剥離シートを含む部分とに分かれる。両面接着シート及び電池間と剥離シート及び電池ケース間とで剥離は起こらず、両面接着シート及び剥離シート間で剥離が起こる。また、両面接着シート及び剥離シート間で剥離が起こった場合、電池に前記他方の面が接着されている両面接着シートの前記一方の面から剥離シートが剥離された状態となり、この状態で両面接着シートの前記一方の面を新しい電池ケース内面に接着できる。
【発明の効果】
【００１５】
第１発明によれば、接着シートに剥離層を設けることにより、例えば電池ケースから電池を取外す場合、第１接着面及び電池ケース間と第２接着面及び電池間とで剥離は起こらず、第１接着面及び第２接着面間の剥離層で剥離が起こる。電池又は電池ケースから接着シートを剥離する程の強い力は電池外装に加わらないため、電池取外し時の例えば電池外装のラミネートの変形又は破損を防止することが可能になる。また、電池又は電池ケースから接着シートを剥離するよりも容易に剥離層で剥離が行えるため、電池の取外しが容易になる。
【００１６】
第２又は第４発明によれば、接着シートを構成する第１基体及び第２基体間を剥離可能とすることにより、例えば電池ケースから電池を取外す場合、第１基体及び電池ケース間と第２基体及び電池間とで剥離は起こらず、第１基体及び第２基体間で剥離が起こる。電池又は電池ケースから接着シートを剥離する程の強い力は電池外装に加わらないため、電池取外し時の例えば電池外装のラミネートの変形又は破損を防止することが可能になる。また、電池又は電池ケースから接着シートを剥離するよりも容易に第１基体及び第２基体間で剥離が行えるため、電池の取外しが容易になる。
【００１７】
第３発明によれば、接着シートを構成する両面接着シート及び剥離シート間を剥離可能とすることにより、例えば電池ケースから電池を取外す場合、両面接着シート及び電池間と剥離シート及び電池ケース間とで剥離は起こらず、両面接着シート及び剥離シート間で剥離が起こる。電池又は電池ケースから接着シートを剥離する程の強い力は電池外装に加わらないため、電池取外し時の例えば電池外装のラミネートの変形又は破損を防止することが可能になる。また、電池又は電池ケースから接着シートを剥離するよりも容易に両面接着シート及び剥離シート間で剥離が行えるため、電池の取外しが容易になる。さらに、取外した後は、両面接着シートから剥離シートが剥離された状態であるため、前記取外した後の電池を前記両面接着シートでそのまま新しい電池ケース内面に接着することが可能となり、取外した電池を新しい電池ケースに取付ける作業効率が向上する。
【発明を実施するための最良の形態】
【００１８】
以下、本発明をその実施の形態を示す図面に基づいて具体的に説明する。図１は本発明の電池パックを分解した例を示す斜視図であり、図２（ａ）は図１に示す電池パックを組立てた場合のＩ−Ｉ線切断断面図であり、図２（ｂ）は図２（ａ）の要部拡大図である。電池パックは、蓋体２０及び箱体２２からなる樹脂製の電池ケース内に電池１０が両面テープ（接着シート）１６で接着されている。本説明では、電池１０は蓋体２０内面に接着されている。また、電池１０は、例えばアルミを用いたラミネート外装の電池であり、電極が、保護回路及び外部端子１４が形成された基板１２に接続されている。蓋体２０の表面には、前記外部端子１４と対応する位置に、貫通孔２４が形成されている。
【００１９】
両面テープ１６は、一方の面どうしが剥離可能に接着された第１シート（第１基体）３０及び第２シート（第２基体）３２を有し、図２（ｂ）に示すように、第１シート３０の他方の面（第１接着面）は接着剤３４によって蓋体２０内面に接着されており、第２シート３２の他方の面（第２接着面）は接着剤３４によって電池１０表面に接着されている。第１シート３０及び第２シート３２間の接着部分（剥離層）の接着力は、接着剤３４の接着力よりも低い。第１シート３０及び第２シート３２間の接着は、例えばＰＥＴ（polyethylene terephthalate）製の第１シート３０と、ＰＰ（polypropylene）又はウレタン製の第２シート３２とを熱圧着することが可能である。
【００２０】
第１シート３０及び第２シート３２間の接着は、接着剤３４よりも接着力が低く、剥離可能であれば特に限定はされず、例えば第１シート３０及び第２シート３２にアクリル系樹脂溶液を塗布して乾燥させ、樹脂塗布面どうしを接触させて加熱ロールを通過させて熱圧着したり、天然ゴムラテックス等の通常の感圧性接着剤、即ち非剥離性感圧接着剤に、シリカ、澱粉等の充填剤を添加した接着剤を用いて剥離可能に接着することが可能である。充填剤を添加することによって、接着強度が低下し、接着後の剥離が容易になる。充填剤を調整して、第１シート３０及び第２シート３２間の接着強度を、通常は接着を保ち、取外し時はラミネートを変形せずに剥離できるように調整することが可能である。
【００２１】
図３は使用前の両面テープ１６の例を示す図である。両面テープ１６は、使用前は、例えば第１シート３０に剥離紙３８が剥離可能に接着されており、第２シート３２が大型の剥離紙３６に剥離可能に接着されている。大型の剥離紙３６には例えば複数の両面テープ１６が剥離可能に接着されている。
【００２２】
電池パックの組立ては、例えば大型の剥離紙３６から剥離紙３８付きの両面テープ１６を剥離して第２シート３２を電池１０表面に接着し、剥離紙３８を剥離して第１シート３０を蓋体２０内面に接着した後、蓋体２０及び箱体２２を組合わせる。組合わせた蓋体２０及び箱体２２は、例えば超音波溶着などで一体化される。ここで、図２（ａ）に示したように、電池１０及び箱体２２内面間には隙間が設けられている。
【００２３】
組立て後の電池パックの外観に、色むら又は傷などの不具合が見つかった場合、電池ケース（蓋体２０、箱体２２）を壊して、蓋体２０から電池１０を取外す。図４（ａ）は、蓋体２０からの電池１０の取外しの例を示す図である。ただし図４（ａ）において、第１シート３０及び蓋体２０間の接着剤３４と、第２シート３２及び電池１０間の接着剤３４とは図示していない。蓋体２０からの電池１０の取外しにおいては、第１シート３０及び第２シート３２間の接着力は接着剤３４の接着力よりも弱いため、第１シート３０は蓋体２０に接着され、第２シート３２は電池１０に接着された状態で、第１シート３０及び第２シート３２間が剥離される。
【００２４】
接着剤３４よりも弱い接着力の第１シート３０及び第２シート３２間が剥離されるため、電池１０にはラミネートが変形又は破損する程の強い力は加わらず、ラミネートが変形又は破損しないため、電池１０の再使用が可能になる。図４（ｂ）は取外した電池１０の再使用の例を示す図である。電池１０には、第２シート３２が接着されたままであり、この第２シート３２に新しい両面テープ１６ａを接着することで、上述した図２（ａ）と同様にして、電池１０を新しい蓋体２０ａ内面に接着できる。なお、電池１０には第２シート３２が接着されたままであり、その分厚みが増すが、図２（ａ）に示したように電池１０及び箱体２２内面間には隙間が設けられているため、問題無く電池を収納することができる。
【００２５】
図５（ａ）は両面テープ（接着シート）の他の例を示す図である。両面テープは、基板（両面接着シート）３の両面に接着剤４が付加され、一方の面が電池１０表面に接着され、他方の面に剥離紙（剥離シート）４０のコーティング面が接着されている。剥離紙４０のコーティング面の裏面（コーティングなしの通常面）は、蓋体２０の内面に接着剤４２で接着されている。剥離紙４０及び基板３の接着部分（剥離層）の接着強度は、剥離紙４０及び蓋体２０間、及び、基板３及び電池１０間の接着強度よりも低い。図５（ｂ）は蓋体２０からの電池１０の取外しの例を示す図である。蓋体２０からの電池１０の取外しにおいては、剥離紙４０及び蓋体２０間、及び、基板３及び電池１０間よりも接着力が弱い基板３及び剥離紙４０間が剥離される。
【００２６】
接着力が弱い基板３及び剥離紙４０間が剥離されるため、電池１０にはラミネートが変形又は破損する程の強い力は加わらず、取外した電池１０は再使用が可能である。図５（ｃ）は取外した電池１０の再使用の例を示す図である。電池１０には基板（両面接着シート）３が接着されたままであり、基板３の剥離紙４０が剥離された面をそのまま新しい蓋体２０ａ内面に接着できる。取外した電池１０に接着シートを新たに接着する必要は無く、取外した電池１０を効率良く新しい蓋体２０に接着することができる。
【００２７】
上述した実施の形態においては、電池を電池ケースに収納する場合を例にして説明したが、電池に限定はされず、ケース内の任意の収納物を、剥離層を有する接着シートを用いて、ケース内面に接着することが可能である。また、任意の第１物体及び第２物体を、剥離層を有する接着テープで接着することが可能である。例えば、金属製の第１物体及びプラスチック製の第２物体を、剥離層を有する接着シートで接着することにより、廃棄時に第１物体及び第２物体の分解を、第１物体表面及び第２物体表面が破損することなく容易に行える。
【図面の簡単な説明】
【００２８】
【図１】本発明の電池パックを分解した例を示す斜視図である。
【図２】（ａ）は図１に示す電池パックを組立てた場合のＩ−Ｉ線切断断面図であり、（ｂ）は（ａ）の要部拡大図である。
【図３】使用前の両面テープの例を示す図である。
【図４】（ａ）は、電池の取外しの例を示す図であり、（ｂ）は取外した電池の再使用の例を示す図である。
【図５】（ａ）は両面テープの他の例を示す図であり、（ｂ）は電池の取外しの例を示す図であり、（ｃ）は取外した電池の再使用の例を示す図である。
【図６】（ａ）は従来の電池パックの断面図であり、（ｂ）及び（ｃ）は（ａ）の要部拡大図である。
【符号の説明】
【００２９】
３  基板（両面接着シート）
４、３４、４２  接着剤
１０  電池
１２  基板
１４  外部端子
１６  接着シート
２０  蓋体
２２  箱体
３０  第１シート（第１基体）
３２  第２シート（第２基体）
４０  剥離紙（剥離シート）
【図１】
2005056625.tif 000003
【図２】
2005056625.tif 000004
【図３】
2005056625.tif 000005
【図４】
2005056625.tif 000006
【図５】
2005056625.tif 000007
【図６】
2005056625.tif 000008